(57)【特許請求の範囲】
【請求項１】
電界伝達媒体を介して通信する電界通信を用いた行列算出システムであって、
ユーザが携帯する携帯端末と、前記携帯端末と電界伝達媒体を介して通信する複数の受信機と、前記複数の受信機に接続された管理装置と、を有し、
前記携帯端末は、ユーザが前記受信機に接触することにより、ユーザＩＤを受信機に送信し、
各受信機は、目的地に向かう通路に設置され、前記携帯端末からユーザＩＤを受信すると、前記ユーザＩＤに当該受信機の設置場所を示す装置ＩＤを付加したＩＤ情報を、前記管理装置に出力し、
前記管理装置は、
各受信機が送信したＩＤ情報を受信し、当該ＩＤ情報を受信した受信時刻と、装置ＩＤとを対応付けて記憶手段に記憶する受信手段と、
前記受信機間の距離と、前記記憶手段に記憶された各受信時刻とに基づいて、目的地までに発生したユーザの行列の長さを算出する算出手段と、を有すること
を特徴とする行列算出システム。
【請求項２】
請求項１記載の行列算出システムであって、
前記管理装置の算出手段は、前記算出した行列の長さを行列状態における速度で除算し、目的地までの待ち時間を算出すること
を特徴とする行列算出システム。
【請求項３】
請求項２記載の行列算出システムであって、
目的地手前の区間の通路に設置された受信機の設置間隔は、他の区間に設置された受信機の設置間隔より小さいこと
を特徴とする行列算出システム。
【請求項４】
請求項３記載の行列算出システムであって、
前記管理装置の算出手段は、前記目的地手前の区間に設置された各受信機が送信したＩＤ情報の受信時刻を用いて行列状態における速度を算出すること
を特徴とする行列算出システム。
【請求項５】
請求項２から請求項４のいずれか１項に記載の行列算出システムであって、
前記管理装置の算出手段が算出した行列の長さ、または行列の目的地までの待ち時間、または行列の長さおよび目的地までの待ち時間を表示する表示装置を、さらに有すること
を特徴とする行列算出システム。
【請求項６】
請求項２から請求項５のいずれか１項に記載の行列算出システムであって、
前記管理装置は、前記受信手段が受信したＩＤ情報と受信時刻とを用いて、ユーザが通過した経路を示す軌跡情報を生成する位置検出手段を、さらに有すること
を特徴とする行列算出システム。
【請求項７】
請求項６記載の行列算出システムであって、
前記ユーザＩＤには、グループを識別するグループＩＤが含まれ、
前記位置検出手段は、同一のグループＩＤを有するユーザＩＤ各々の軌跡情報を生成すること
を特徴とする行列算出システム。
【請求項８】
請求項６または請求項７記載の行列算出システムであって、
前記管理装置の位置検出手段が生成した軌跡情報を表示する表示装置を、さらに有すること
を特徴とする行列算出システム。
【発明の詳細な説明】
【技術分野】
【０００１】
本発明は、送信すべき情報に基づく電界を電界伝達媒体に誘起させるとともにこの誘起した電界を検出して情報の送受信を行う電界通信を用いた行列算出システムに関する。
【背景技術】
【０００２】
携帯端末の小型化および高性能化によりウェアラブルコンピュータが注目されているが、図１６はこのようなウェアラブルコンピュータを人間に装着して使用する場合の例を示している。同図に示すように、ウェアラブルコンピュータ７はそれぞれトランシーバ９を介して人間の腕、肩、胴体などに装着されて互いにデータの送受信を行うとともに、更に手足の先端で触れられるよう壁や床に設けられたトランシーバ９ａ、９ｂとケーブルとを介して外部に設けられたパソコン（ＰＣ）８と通信を行っている。
【０００３】
ここで、このようなウェアラブルコンピュータ７間、およびウェアラブルコンピュータ７とパソコン８間とのデータ通信に使用されるトランシーバ９は、電界信号検出技術を利用していて、送信すべき情報に基づく電界を電界伝達媒体である生体に誘起させ、この誘起した電界を用いて情報の送受信を行うものである。なお、トランシーバ９については、特許文献１および特許文献２に記載されている。
【特許文献１】特開２００１−３５２２９８号公報
【特許文献２】特開２００６−８１１１１号公報
【発明の開示】
【発明が解決しようとする課題】
【０００４】
さて、遊園地などのテーマパークには、複数の乗り物やアトラクションがあり、利用者は、所望の乗り物がある場所に移動する。そして、乗り物の前に行列ができている場合、利用者は行列の最後尾に並んで、自分の順番が来るのを待つ。
【０００５】
しなしながら、行列が長い場合、利用者は、現時点において行列がどれくらいの長さであって、また、待ち時間がどれくらいであるか把握することは難しい。そのため、長時間並ばなければならないのであれば、他のすいている乗り物を先に利用しようと考えていたにもかかわらず、待ち時間が把握できないために、結果として長時間行列に並んでしまう場合がある。
【０００６】
本発明は、上記課題を解決するためになされたものであり、電界伝達媒体を介して情報の送受信を行う電界通信を用いた行列算出システムにおいて、実態に即した行列情報を算出することを目的とする。
【課題を解決するための手段】
【０００７】
上記目的を達成するため、本発明は、電界伝達媒体を介して通信する電界通信を用いた行列算出システムであって、ユーザが携帯する携帯端末と、前記携帯端末と電界伝達媒体を介して通信する複数の受信機と、前記複数の受信機に接続された管理装置と、を有し、前記携帯端末は、前記受信機に接触することにより、ユーザＩＤを受信機に送信し、各受信機は、目的地に向かう通路に設置され、前記携帯端末からユーザＩＤを受信すると、前記ユーザＩＤに当該受信機の設置場所を示す装置ＩＤを付加したＩＤ情報を、前記管理装置に出力し、前記管理装置は、各受信機が送信したＩＤ情報を受信し、当該ＩＤ情報を受信した受信時刻と、装置ＩＤとを対応付けて記憶手段に記憶する受信手段と、前記受信機間の距離と、前記記憶手段に記憶された各受信時刻とに基づいて、目的地までに発生したユーザの行列の長さを算出する算出手段と、を有する。
【発明の効果】
【０００８】
本発明によれば、電界伝達媒体を介して情報の送受信を行う電界通信を用いた行列算出システムにおいて、実態に即した行列情報を算出することができる。
【発明を実施するための最良の形態】
【０００９】
＜第１の実施形態＞
以下、本発明の第１の実施形態を、図面を用いて説明する。
【００１０】
図１は、本発明の第１の実施形態である行列算出システムを説明するための説明図である。本実施形態の行列算出システムは、遊園地、公園などのテーマパークに設置された施設（乗り物、展示物、アトラクションなど）にできたユーザの行列を算出するものである。ユーザは、施設の前で先着順に列をつくって並ぶものとする。
【００１１】
ユーザは、ネットストラップ付の携帯端末１を携帯し、複数の施設の中から所望の施設の入口（目的地）に進む。施設の入口の前には、多くのユーザが順番に並べるように、ロープなどで仕切った行列エリア７（通路）がある。ユーザは、この行列エリア７を通って施設の入口に到達する。
【００１２】
行列エリア７の床または地面には、複数の電極６が設置されている。そして、ユーザが行列エリア７を入口に向かって進む際に、ユーザと電極６とが接触し、これにより電界伝達媒体であるユーザの人体を介して、当該ユーザが携帯する携帯端末１と電極６に接続された受信機との間で情報が送受信される。すなわち、携帯端末１が送信するユーザＩＤは、ユーザの人体を介して受信機に送信される。受信機は、送信されたユーザＩＤに電極の設置場所を示す装置ＩＤを付加した情報を、後述する管理サーバに送信する。
【００１３】
本実施形態の行列エリアでは、図示するように、施設入口手前の区間に設置された電極の設置間隔は、他の区間に設置された電極の設置間隔よりも小さいものとする。
【００１４】
なお、本実施形態の行列システムでは、全てのユーザが携帯端末１を携帯している場合、または、一部のユーザのみが携帯端末１を携帯している場合のどちらであってもよい。
【００１５】
図２は、本実施形態である行列算出システムの全体構成図である。
【００１６】
図示する行列算出システムでは、各施設エリアに、複数の受信機５および複数の電極６と、当該施設の行列の長さおよび待ち時間を表示する表示板４と、を有する。図示する電極６は、図１で説明したように、各施設の入口前の行列エリアの床に設置されている。受信機５および表示板４は、ＨＵＢなどのネットワーク機器により、管理サーバ８に接続されている。
【００１７】
また、行列算出システムは、管理サーバ８（管理装置）と、複数の表示装置９とを有する。管理サーバ８は、受信機５から送信される情報に基づいて、各施設入口までの待ち時間および行列の長さを算出する。表示装置９は、テーマパーク内の複数の場所にそれぞれ設置され、ＨＵＢなどのネットワーク機器を介して管理サーバ８に接続される。そして、表示装置９は、管理サーバ８が送信した各種情報を表示する。
【００１８】
図３は、ユーザが携帯する携帯端末１の概略構成図である。
【００１９】
本実施形態の携帯端末１は、ＩＤ発信器２と、送信機３とを有する。ＩＤ発信器２は、当該携帯端末１を携帯するユーザのユーザＩＤを、所定の時間間隔で常時発信する。ユーザＩＤは、あらかじめＩＤ発信器２に設定されているものとする。
【００２０】
携帯端末１の送信機３は、電界信号検出技術を利用していて、送信すべき情報に基づく電界を電界伝達媒体である生体に誘起させ、この誘起した電界を用いて情報の送信を行うものである。
【００２１】
例えば、送信機３は、図３に示すような構成をしており、ＩＤ発信器２からの送信データ（ユーザＩＤ）を制御回路９０１を介して受け取ると、この送信データを送信部９０２を介して電極９０３に供給し、当該電極９０３および絶縁膜９０４を介して電界伝達媒体に電界を誘起させ、この電界を電界伝達媒体の他の部位に伝達させる。
【００２２】
携帯端末１を携帯したユーザが行列エリアの電極６に接触することにより、電界伝達媒体であるユーザの人体を介して、受信機５と携帯端末１との通信路が確立される。
【００２３】
図４は、本実施形態の受信機５と、管理サーバ８と、表示装置９との概略構成図である。
【００２４】
図示する受信機５は、電界信号検出技術を利用していて、電界伝達媒体である生体に誘起した電界を用いて情報の受信を行うものである。例えば、受信機５は、図４に示すような構成をしており、電界伝達媒体に誘起されて伝達されてくる電界を絶縁膜を介して電極６で検出し、この電界を電界検出光学部９０５に結合して電気信号に変換する。そして、この電気信号は、信号処理回路９０６で増幅、ノイズ除去などの信号処理を施され、更に波形整形回路９０７で波形整形がなされ、制御回路９０１を介して管理サーバ８に出力するようになっている。また、本実施形態の絶縁膜を含む電極６は、ケーブルにより受信機５本体と接続されており、ユーザが接触可能な行列エリアの床・地面に設置されているものとする。
【００２５】
制御回路９０１は、携帯端末１から送信されたユーザＩＤに、当該受信機５の装置ＩＤを付加して、管理サーバ８に送信する。装置ＩＤは、当該受信機（すなわち、電極６）の設置場所を示す情報であって、施設の識別情報および電極６の位置情報が含まれるものとする。
【００２６】
図示する表示装置９は、ユーザからの指示を受け付ける入力部９１と、管理サーバ８から送信された情報をディスプレイなどに表示する表示部９２とを有する。
【００２７】
図示する管理サーバ８は、受信部８１と、算出部８２と、位置検出部８３と、行列情報テーブル８６と、ユーザ情報テーブル８７と、地図情報８８とを有する。受信部８１は、受信機５から情報を受信し、行列情報テーブル８６に記憶する。算出部８２は、所定のタイミング（時間間隔）で行列情報テーブル８６を参照し、施設毎の行列の長さおよび待ち時間を算出する。位置検出部８３は、表示装置９からの要求に応じて、テーマパーク内でのユーザの位置を検出する。
【００２８】
図５は、行列情報テーブル８６の一例を示す図である。
【００２９】
本実施形態では、施設毎に行列情報テーブル８６を有するものとし、各行列情報テーブル８６は、ユーザが施設の行列エリアに並んだ（または通過した）時刻を登録するためのテーブルである。図示する行列情報テーブル８６は、ユーザＩＤと、ユーザが行列エリアの各電極６に接触した時刻（受信機５からＩＤ信号を受信した時刻）とを有する。
【００３０】
図６は、ユーザ情報テーブル８７の一例を示す図である。ユーザ情報テーブルは、ユーザの属性情報があらかじめ記憶されたテーブルであって、ユーザＩＤ毎に、氏名、性別、年齢、連絡先（電話番号、住所）、職業、などのマーケティングに必要な各種の情報が記憶されている。
【００３１】
なお、ユーザＩＤには、グループＩＤと、個人ＩＤとが含まれる。グループでテーマパークに来場する場合には、グループのメンバー全員に同一のグループＩＤを設定するものとする。また、個人のユーザの場合は、グループＩＤを設定しない、または、個人であることを示す所定のＩＤを設定するものとする。また、ユーザＩＤ以外の属性情報は、全てのユーザについて登録する場合、または、年間パスポートを購入したユーザやグループの代表者ユーザなど一部のユーザのみが登録する場合が考えられる。
【００３２】
なお、管理サーバ８は、少なくともＣＰＵと、メモリと、記憶装置と、通信制御装置と、これらの各装置を接続するバスと、を備えた汎用的なコンピュータシステムを用いることができる。このコンピュータシステムにおいて、ＣＰＵがメモリ上にロードされた所定のプログラムを実行することにより、管理サーバ８の各機能が実現される。
【００３３】
次に、本実施形態の行列算出処理について説明する。
【００３４】
ユーザが携帯する携帯端末１は、ＩＤ発信器２が発信するユーザＩＤを、所定の時間間隔で常時送信している。そして、ユーザは、所望の施設を利用するために当該施設の行列エリアに入場する（図１参照）。そして、ユーザは、行列エリアを歩いて施設の入口に到達するまでに、電極（１）から電極（ｎ）の全ての電極６に順次接触する。これにより、携帯端末１と各受信機５との間で、ユーザの人体である電界伝達媒体を介した通信路が確立され、通信が可能となる。
【００３５】
図７は、ユーザが電極６に接触した場合のシーケンス図である。
【００３６】
まず、ユーザが電極（１）に接触した場合の処理を説明する。携帯端末１を携帯したユーザが、電極（１）に接触することにより、携帯端末１と電極（１）に接続された受信機５（以下、「受信機（１）」）との間で、ユーザの人体を介した通信路が確立される。そして、携帯端末１が送信するユーザＩＤは、前記通信路を介して受信機（１）に送信される（Ｓ１１）。
【００３７】
受信機（１）の受信部９１０および波形整形回路９０７は、前記通信路を介して入力された電界をユーザＩＤ（電気信号）に変換して制御回路９０１に出力する。制御回路９０１は、入力されたユーザＩＤに、当該受信機（１）にあらかじめ設定された装置ＩＤを付加したＩＤ情報を、管理サーバ８に送信する（Ｓ１２）。
【００３８】
そして、管理サーバ８の受信部８１は、受信機（１）からＩＤ情報を受信すると、ＩＤ情報の装置ＩＤに対応する行列情報テーブル８６（図５参照）に、所定の情報を登録する（Ｓ１３）。すなわち、受信部８１は、ＩＤ情報に含まれている装置ＩＤが、行列エリアの最初（入口）に設定された電極（１）の受信機（１）であるか否かを判別する。そして、電極（１）の受信機（１）の装置ＩＤ場合、ＩＤ情報に含まれているユーザＩＤと、ＩＤ情報を受信した時刻を電極（１）の装置ＩＤの欄に設定した行列情報レコードを生成し、行列情報テーブルに登録する。
【００３９】
次に、ユーザは、電極（２）に接触する。これにより、携帯端末１と電極（２）に接続された受信機５（以下、「受信機（２）」）との間で、ユーザの人体を介した通信路が確立される。そして、携帯端末１が送信するユーザＩＤは、前記通信路を介して受信機（２）に送信される（Ｓ１１）。受信機（２）は、送信されたユーザＩＤに、当該受信機（２）にあらかじめ設定された装置ＩＤを付加したＩＤ情報を、管理サーバ８に送信する（Ｓ１２）。
【００４０】
管理サーバ８の受信部８１は、受信したＩＤ情報の装置ＩＤに基づいて対応する行列情報テーブルを特定し、さらに、当該行列情報テーブルの中から受信したＩＤ情報のユーザＩＤを有するレコードを特定する。そして、受信部８１は、ＩＤ情報を受信した時刻を、特定したレコードの電極（２）の装置ＩＤの欄に設定する。そして、ユーザが、電極（３）から電極（ｎ）の各電極に接触するたびに、同様の処理が行われる。
【００４１】
以上説明した処理により、携帯端末１を携帯した各ユーザが施設の入口に到達するまでに電極（１）から電極（ｎ）に接触した各時刻が行列情報テーブル８６に登録される。
【００４２】
次に、管理サーバ８が行う、行列の長さおよび待ち時間の算出処理について説明する。
【００４３】
管理サーバ８の算出部８２は、所定の時間間隔で、各行列情報テーブル８６を参照し、施設毎の行列の長さおよび待ち時間を算出する。
【００４４】
図８は、行列の長さおよび待ち時間の算出処理を説明するための説明図である。
【００４５】
管理サーバ８の算出部８２は、行列情報テーブル８６から直近のレコードを抽出する。すなわち、算出部８２は、ユーザＩＤ毎に登録されたレコードの中から、施設入口手前の電極（ｎ）の装置ＩＤ欄の時刻が、最も遅い時刻（すなわち、現在時刻に最も近い時刻）のレコードを抽出する。
【００４６】
そして、算出部８２は、抽出したレコードに設定された各時刻の差分を算出することにより、ユーザが次の電極に進むまでに要した時間を算出する。
【００４７】
図示する例では、１０分前に電極（１）を通過し、４分前に電極（２）を通過したものとする。したがって、電極（１）から電極（２）に進むまでに要した時間は６分である。また、電極（１）から電極（２）までの距離は、２００ｍであるものとする。なお、各電極間の距離は、管理サーバ８のメモリなどの記憶装置にあらかじめ記憶されているものとする。
【００４８】
また、行列状態のときにユーザが進む速度を１０ｍ／分とし、行列ができていない通常状態のときにユーザが進む速度を８０ｍ／分とする。
【００４９】
そして、算出部８２は、下記の連立方程式を生成し、通常状態の歩行時間（Ｙ＝２分）と、行列状態歩行時間（Ｘ＝４分）とを算出する。
【００５０】
２００ｍ＝Ｙ×８０＋Ｘ×１０
Ｙ＋Ｘ＝６分
そして、算出部８２は、算出した行列状態歩行時間（Ｘ＝４分）を用いて、施設入口までの行列の長さを算出する。すなわち、算出部８２は、電極（１）から電極（２）の間に発生した行列の長さを、行列状態歩行時間（Ｘ＝４分）に行列状態の速度（１０ｍ／分）を乗算し、電極（２）から電極（５）までの長さを加算した以下の式により行列の長さを算出する。
【００５１】
Ｘ×１０＋１００＋５＋５＝１５０ｍ
そして、算出部８２は、算出した行列の長さを、行列状態の速度で除算することにより、待ち時間を算出する。
【００５２】
（１５０ｍ）／（１０ｍ／分）＝１５分
なお、施設入口の近くでは常に行列状態であると推定し、行列状態のときにユーザが進む速度（１０ｍ／分）については、施設入口手前の区間である速度測定箇所８１を通過した時刻と、速度測定箇所８１の距離とを用いて算出してもよい。図示する例では、電極（３）から電極（５）の間を速度測定箇所８１とし、電極（５）の時刻から電極（３）の時刻を減算して、電極（３）から電極（５）を通過するまで要した時間を算出する。そして、電極（３）から電極（５）の距離１０ｍを、算出した時間で除算することにより、行列状態時の速度を算出する。
【００５３】
なお、図示する例では、電極（１）から電極（２）の間に行列ができている場合について説明したが、電極（１）から電極（２）の間に行列ができていない場合、すなわち、２００ｍを８０ｍ／分の速度で進んでいる場合は、電極（２）から電極（３）の間で前述の連立方程式を生成し、同様に行列状態歩行時間Ｘを算出する。
【００５４】
そして、算出部８２は、施設毎に算出した行列の長さおよび待ち時間を、対応する施設エリアの表示板４にそれぞれ送信する。各表示板４は、算出部８２から送信された行列の長さおよび待ち時間を表示する。これにより、施設を訪れたユーザは、表示板４を閲覧することにより、当該施設にどれだけの長さの行列が発生し、また、待ち時間がどのくらいなのかを把握し、行列に並ぶかまたは他の施設に移動するかを判断することができる。
【００５５】
また、算出部８２は、全施設の行列の長さおよび待ち時間を、テーマパークの複数場所に設置された各表示装置９に送信する。各表示装置９の表示部９２は、算出部８２から送信された各施設の行列の長さおよび待ち時間を表示する。これにより、ユーザは、どの施設にどれだけの長さの行列が発生し、また、待ち時間がどのくらいなのかを把握することができる。そして、ユーザは、待ち時間が少ない施設に移動するなど、効率良くテーマパーク内の施設を利用することができる。
【００５６】
次に、グループのメンバーの位置を検出する処理を説明する。
【００５７】
例えば、グループでテーマパークに来場したが、メンバー（ユーザ）の１人がグループから離れて迷子になる場合がある。このような場合に、同一グループのユーザは、はぐれたメンバーの位置を把握するために、自分が携帯している携帯端末１に設定されたグループＩＤを、表示装置９に入力する。
【００５８】
表示装置９の入力受付部９１は、入力されたグループＩＤを、管理サーバ８に送信する。そして、管理サーバ８の位置検出部８３は、各行列情報テーブル８６の中から、受信したグループＩＤを含むユーザＩＤのレコードを抽出する。そして、位置検出部８３は、抽出したレコードを、ユーザＩＤの個人ＩＤ毎に時刻でソートし、直近の時刻（最も遅い時刻）のレコードが登録されている施設を特定する。
【００５９】
そして、位置検出部８３は、特定した施設を地図情報８８にマーキングして、表示装置９に送信する。なお、地図情報８８は、各施設の位置が設定されたテーマパークの地図であって、あらかじめ管理サーバ８のメモリなどの記憶装置に記憶されているものとする。ユーザは、表示装置９に表示された地図を閲覧することにより、グループからはぐれたメンバーのおおよその位置を把握することができる。
【００６０】
次に、グループのメンバーの軌跡情報を生成する処理を説明する。
【００６１】
前述のように、はぐれたメンバーの位置を把握するために、同一グループのユーザは、自分が携帯している携帯端末１に設定されたグループＩＤを、表示装置９に入力する。表示装置９にグループＩＤを入力する方法としては、表示装置９が図４と同様の受信機を備える場合は、ユーザが受信機の電極に触れることにより携帯端末１から送信されるグループＩＤを入力することが考えられる。また、ユーザは、表示装置９の入力装置（タッチパネルなど）を用いてグループＩＤを入力することとしてもよい。
【００６２】
表示装置９の入力受付部９１は、入力されたグループＩＤを、管理サーバ８に送信する。そして、管理サーバ８の位置検出部８３は、各行列情報テーブル８６（図５参照）の中から、受信したグループＩＤを含むユーザＩＤのレコードを抽出する。そして、位置検出部８３は、抽出したレコードをユーザＩＤの個人ＩＤ毎に時刻でソートした軌跡情報テーブルを生成する。なお、行列情報テーブル８６から抽出したレコードには、各装置ＩＤの時刻が設定されているため、装置ＩＤ毎にレコードを展開して、ソートするものとする。
【００６３】
図９は、抽出したレコードを時刻でソートして生成した軌跡情報テーブルの一例である。図示するように、軌跡情報テーブルには、対象となるグループの各ユーザが通過した場所（すなわち、ユーザが接触した電極の装置ＩＤ）が時系列に並べられている。
【００６４】
そして、位置検出部８３は、軌跡情報テーブルを用いて、当該グループのユーザの軌跡情報を表示装置に送信する。
【００６５】
例えば、位置検出部８３は、図１１に示すような画面１１１を表示装置９に送信し、その後、指定された個人ＩＤの軌跡情報のみを抽出した画面１１２を表示装置９に送信することが考えられる。
【００６６】
画面１１１については、位置検出部８３は、軌跡情報テーブルから、グループＩＤと個人ＩＤとを抽出し、ユーザ情報テーブル８７を参照して各ＩＤを対応する名称に変換するものとする。
【００６７】
表示装置９の表示部９２は、管理サーバから送信された画面１１１を表示する。ユーザは、所望のユーザの名称が表示されている画面の領域に触れるなどして、軌跡情報を表示したいユーザを指定する。表示装置９の入力受付部９１は、指定されたユーザの個人ＩＤ（または個人名称）を管理サーバ８に送信する。
【００６８】
管理サーバ８の位置検出部８３は、軌跡情報テーブルから指定された個人ＩＤのレコードのみを抽出して画面１１２を生成し、表示装置９に送信する。なお、位置検出部８３は、以下に示す装置情報テーブルを参照して、抽出したレコードの各装置ＩＤを対応する場所の名称に変換するもの。
【００６９】
図１０は、装置情報テーブルの一例を示すものである。図示する装置情報テーブルは、電極の設置場所を示す装置ＩＤ毎に、電極の設置場所の名称、テーマパーク内での位置情報（例えば、座標など）が設定されている。装置情報テーブルは、あらかじめ管理サーバ８のメモリなどの記憶装置に記憶されているものとする。
【００７０】
また、位置検出部８３は、軌跡情報として、画面１１２の替わりに図１２に示す画面１１３を生成し、表示装置９に送信することとしてもよい。すなわち、位置検出部８３は、前述の地図情報８８を読み出す。そして、位置検出部８３は、装置情報テーブルを参照し、抽出したレコード毎に装置ＩＤに対応する座標を地図情報８８にマッピングする。そして、位置検出部８３は、時系列に（過去から現在に向かって）マッピングした座標を矢印で繋いで、画面１１３を生成する。
【００７１】
なお、位置検出部８３は、図１３に示すような、全てのユーザの軌跡情報が表示された画面１１４を生成し、表示装置９に送信することとしてもよい。この場合、ユーザは、管理サーバから送信された画面１１１において、例えばグループの名称が表示されている画面の領域に触れるなどして、全てのユーザの軌跡情報を要求するものとする。表示装置９の入力受付部９１は、グループＩＤ（またはグループ名称）を管理サーバ８に送信する。
【００７２】
以上説明した本実施形態では、携帯端末を携帯したユーザが所望の施設の行列エリアを通過することにより、携帯端末が送信するユーザＩＤおよび受信機（電極）の設置場所を示す装置ＩＤが管理サーバに送信される。これにより、ユーザに携帯端末を携帯させるだけで、管理サーバは、行列の長さおよび待ち時間を算出するための情報を効率よく収集することができる。
【００７３】
また、本実施形態の管理サーバは、ＩＤ情報を受信した受信時刻と、当該ＩＤ情報に含まれる装置ＩＤとを対応付けて行列情報テーブルに記憶することで、実態に即した行列の長さおよび待ち時間を算出することができる。
【００７４】
また、本実施形態では、管理サーバが算出した行列の長さおよび待ち時間を、表示板および表示装置に表示することで、ユーザは、どの施設にどれだけの長さの行列が発生し、また、待ち時間がどのくらいなのかを把握することができる。また、ユーザは、待ち時間が少ない施設に移動するなど、効率良くテーマパーク内の施設を利用することができる。
【００７５】
また、本実施形態では、行列エリアの施設入口手前の区間には狭い間隔で電極を設置し、施設入口から遠い区間では、広い間隔で電極を設置する。これにより、システム構築コストを抑えつつ、実態に即した行列の長さおよび待ち時間を算出することができる。
【００７６】
また、本実施形態の管理サーバは、ユーザが通過した経路を示す軌跡情報を生成し、表示装置９に表示させる。これにより、グループのメンバー（ユーザ）の１人がグループから離れて迷子になった場合、同一グループのユーザは、はぐれたメンバーの位置を把握することができる。
【００７７】
また、本実施形態の行列情報テーブルには、施設を利用したユーザのユーザＩＤが記憶されている。また、ユーザ情報テーブルには、ユーザＩＤ毎に、ユーザの属性情報が記憶されている。これにより、施設を利用したユーザの属性や傾向などのマーケティング情報を把握し、効率的な施設の拡充・整備を行うことができる。
【００７８】
＜第２の実施形態＞
以下、本発明の第２の実施形態を、図面を用いて説明する。本実施形態の電界通信システムは、携帯端末の送信機および受信機が、第１の実施形態と異なる。
【００７９】
第２の実施形態の行列算出システムの全体構成は、図２に示す第１の実施形態の行列算出システムと同様に、各施設エリアに設置された複数の受信機５、複数の電極６および表示板４と、管理サーバ８と、複数の表示装置９と、を有する。
【００８０】
図１４は、第２の実施形態の携帯端末１Ａの概略構成図である。
【００８１】
図示する携帯端末１Ａは、第１の実施形態と同様のＩＤ発信器２と、送信機３Ａとを有する。本実施形態の送信機３Ａは、送信すべき情報に基づく電界を電界伝達媒体である生体に誘起させ、この誘起した電界を用いて情報の送信を行うものであって、データを送信するための送信部８０２と、制御回路９０１と、電極９０３と、絶縁膜９０４と、を備える。
【００８２】
送信機３Ａは、ＩＤ発信器２からの送信データを制御回路９０１を介して受け取ると、この送信データを送信部８０２を介して電極９０３に供給し、当該電極９０３および絶縁膜９０４を介して電界伝達媒体に電界を誘起させ、この電界を電界伝達媒体の他の部位に伝達させる。送信部８０２は、送信データを発振器８０５から出力される搬送波で変調するための変調回路８０４と、搬送波を出力するための発振器８０５とを備える。
【００８３】
図１５は、第２の実施形態の受信機５Ａの概略構成図である。受信機５Ａは、電界伝達媒体である生体に誘起した電界を用いて情報の受信を行うものであって、受信部８０３と制御回路９０１とを備える。受信機５Ａは、絶縁膜を含む電極６で検出された電界を、受信部８０３で受信データに変換して制御回路９０１を介して管理サーバ８に出力する。受信部８０３は、復調信号のＨレベルとＬレベルの反転が起きていないかを判定して補正するための補正回路８０６と、搬送波再生回路８０８で再生された搬送波と受信した信号をもとにデータを再生する復調回路８０７と、受信した信号から搬送波を抽出する搬送波再生回路８０８と、を備える。
【００８４】
なお、図示する管理サーバ８および表示装置９は、第１の実施形態の管理サーバ８および表示装置９と同様である。
【００８５】
第２の実施形態では、図１４および図１５で説明した送信機３Ａおよび受信機５Ａを用いて、第１の実施形態と同様の処理を行う。
【００８６】
以上、本発明の各実施の形態について説明してきたが、本発明の要旨を逸脱しない範囲において、本発明の実施の形態に対して種々の変形や変更を施すことができる。
【図面の簡単な説明】
【００８７】
【図１】行列算出システムを説明するための説明図である。
【図２】第１の実施形態の行列算出システムの全体構成図である。
【図３】携帯端末の構成図である。
【図４】受信機、管理サーバおよび表示装置の構成図である。
【図５】行列情報テーブルの一例を示す図である。
【図６】ユーザ情報テーブルの一例を示す図である。
【図７】電極接触時のシーケンス図である。
【図８】行列の長さおよび待ち時間の算出処理を説明するための説明図である。
【図９】軌跡情報テーブルの一例を示す図である。
【図１０】装置情報テーブルの一例を示す図である。
【図１１】表示装置に表示される画面例である。
【図１２】表示装置に表示される画面例である。
【図１３】表示装置に表示される画面例である。
【図１４】第２の実施形態の携帯端末の構成図である。
【図１５】第２の実施形態の受信機の構成図である。
【図１６】トランシーバを介してウェアラブルコンピュータを人間に装着して使用する場合の例を示す説明図である。
【符号の説明】
【００８８】
１,１Ａ  携帯端末
２  ＩＤ発信器
３,３Ａ  送信機
４  表示板
５,５Ａ  受信機
６  電極
７  行列エリア
８  管理サーバ
９  表示装置
８１  受信部
８２  算出部
８３  位置検出部
８６  行列情報テーブル
８７  ユーザ情報テーブル
【図１】
0004413949.tif 000002
【図２】
0004413949.tif 000003
【図３】
0004413949.tif 000004
【図４】
0004413949.tif 000005
【図５】
0004413949.tif 000006
【図６】
0004413949.tif 000007
【図７】
0004413949.tif 000008
【図８】
0004413949.tif 000009
【図９】
0004413949.tif 000010
【図１０】
0004413949.tif 000011
【図１１】
0004413949.tif 000012
【図１２】
0004413949.tif 000013
【図１３】
0004413949.tif 000014
【図１４】
0004413949.tif 000015
【図１５】
0004413949.tif 000016
【図１６】
0004413949.tif 000017